(57)【要約】【課題】最短撮影距離を通常時よりも短くした場合にも撮影レンズの光学性能の低下を抑えること。【解決手段】鏡筒を、複数のレンズ群と、複数のレンズ群のうち少なくとも一部のレンズ群を光軸方向に移動させることによって合焦を行う駆動部と、複数のレンズ群及び駆動部を保持する保持部と、保持部を光軸方向に移動させることにより、複数のレンズ群と駆動部とを光軸方向に一体に移動させる移動部とを備える構成とする。移動部は、少なくとも、鏡筒の撮影距離を第一の範囲で変化させることが可能な第一の位置と、鏡筒の撮影距離を第二の範囲で変化させることが可能な第二の位置に、保持部を移動させることができる。第二の範囲の最短撮影距離は、第一の範囲の最短撮影距離より短い。【選択図】図８
2020140005.tif 000002
【特許請求の範囲】
【請求項１】
複数のレンズ群と、
前記複数のレンズ群のうち少なくとも一部のレンズ群を光軸方向に移動させることによって合焦を行う駆動部と、
前記複数のレンズ群及び前記駆動部を保持する保持部と、
前記保持部を光軸方向に移動させることにより、前記複数のレンズ群と前記駆動部とを光軸方向に一体に移動させる移動部と、
を備え、
前記移動部は、
少なくとも、前記鏡筒の撮影距離を第一の範囲で変化させることが可能な第一の位置と、前記鏡筒の撮影距離を第二の範囲で変化させることが可能な第二の位置に、前記保持部を移動させることができ、
前記第二の範囲の最短撮影距離は、前記第一の範囲の最短撮影距離より短い、
鏡筒。
【請求項２】
前記第一の範囲の最短撮影距離が前記第二の範囲の最長撮影距離よりも短い、
請求項１に記載の鏡筒。
【請求項３】
前記移動部は、
カム部が形成された円筒カムを有し、
前記保持部は、
前記カム部に対して摺動可能なフォロアを有し、
前記円筒カムの前記光軸周りの回転動作によって前記フォロアが前記カム部を摺動することに伴い、前記光軸方向に移動する、
請求項１又は請求項２に記載の鏡筒。
【請求項４】
前記カム部は、
前記円筒カムに形成されたカム溝であり、
前記カム溝は、
前記保持部が前記第一の位置に位置するときに前記フォロアが位置する第一の溝部分と、
前記保持部が前記第二の位置に位置するときに前記フォロアが位置する第二の溝部分と、
を含み、
前記第一及び第二の溝部分は、
前記光軸方向に対して垂直をなす方向に延びた溝形状を有する、
請求項３に記載の鏡筒。
【請求項５】
前記移動部は、
前記第一及び第二の位置よりも像側である第三の位置に前記保持部を移動させることができる、
請求項１から請求項４の何れか一項に鏡筒。
【請求項６】
前記駆動部は、
前記保持部が前記第一の位置から前記第二の位置へ移動されたとき、前記鏡筒の撮影距離が前記第二の範囲における最短撮影距離となるように、前記複数のレンズ群のうち少なくとも一部のレンズ群を前記光軸方向に移動させる、
請求項１から請求項５の何れか一項に鏡筒。
【請求項７】
請求項１から請求項６の何れか一項に記載の鏡筒
を備える、
撮影装置。
【発明の詳細な説明】
【技術分野】
【０００１】
本発明は、鏡胴及び撮影装置に関する。
【背景技術】
【０００２】
撮影装置の最短撮影距離をより短くする方法として、撮影レンズ内に別のレンズを挿入する、撮影レンズにマクロコンバージョンレンズを装着する、接写リングをマウントに装着する、等が知られている。
【０００３】
しかし、撮影レンズ内に別のレンズを挿入する方法では、レンズ周辺の機構が複雑になり、また、撮影レンズ内のレンズ群の位置関係が変わるため、撮影レンズが有するもともとの光学性能を保つことが難しい。マクロコンバージョンレンズや接写リングを用いる方法では、これらの部品の着脱を手作業で行う必要があるため、ユーザにとって手間であるという問題が指摘される。
【０００４】
例えば特許文献１に、マクロ撮影モード専用の沈胴カムを用いてレンズ群全体を繰り出すことにより、撮影装置の最短撮影距離を通常撮影モード時の最短撮影距離よりも短くすることが可能な鏡筒が記載されている。
【０００５】
特許文献１に記載の構成では、撮影装置の最短撮影距離を通常撮影モード時の最短撮影距離よりも短くするにあたり、撮影レンズ内に別のレンズを挿入する必要がなく、また、マクロコンバージョンレンズや接写リングを装着する必要もない。
【先行技術文献】
【特許文献】
【０００６】
【特許文献１】特許第３２５３３６０号公報
【発明の概要】
【発明が解決しようとする課題】
【０００７】
しかし、特許文献１に記載の鏡筒は、通常撮影モード時とマクロ撮影モード時とで異なるカム領域を用いてレンズ群を動かす構成となっている。夫々の撮影モード時で異なるカム領域を用いて合焦を行うことから、マクロ撮影モード時において、通常撮影モード時と同じように各レンズ群の位置を制御すること（例えばレンズ群の間隔（相対位置）を通常撮影モード時と同じ間隔に保つこと）が難しいため、マクロ撮影モード時において、通常撮影モード時における撮影レンズの光学性能を保つことが難しい。
【０００８】
本発明は上記の事情に鑑みてなされたものであり、その目的とするところは、最短撮影距離を通常時よりも短くした場合にも撮影レンズの光学性能の低下を抑えることが可能な鏡筒及び撮影装置を提供することである。
【課題を解決するための手段】
【０００９】
本発明の一実施形態に係る鏡筒は、複数のレンズ群と、複数のレンズ群のうち少なくとも一部のレンズ群を光軸方向に移動させることによって合焦を行う駆動部と、複数のレンズ群及び駆動部を保持する保持部と、保持部を光軸方向に移動させることにより、複数のレンズ群と駆動部とを光軸方向に一体に移動させる移動部とを備える。移動部は、少なくとも、鏡筒の撮影距離を第一の範囲で変化させることが可能な第一の位置と、鏡筒の撮影距離を第二の範囲で変化させることが可能な第二の位置に、保持部を移動させることができる。第二の範囲の最短撮影距離は、第一の範囲の最短撮影距離より短い。
【００１０】
本発明の一実施形態に係る撮影装置は、上記の鏡筒を備える。
【発明の効果】
【００１１】
本発明の一実施形態によれば、最短撮影距離を通常時よりも短くした場合にも撮影レンズの光学性能の低下を抑えることが可能な鏡筒及び撮影装置が提供される。
【図面の簡単な説明】
【００１２】
【図１】本発明の一実施形態に係る撮影装置を模式的に示す斜視図である。
【図２】本発明の一実施形態に係る撮影装置の構成を示すブロック図である。
【図３】本発明の一実施形態に係る撮影装置の撮影モードが通常撮影モードでありかつその撮影距離が無限遠に設定されたときの、鏡筒の断面図（光軸ＡＸ方向に沿った断面図）である。
【図４】本発明の一実施形態に係る撮影装置において、その撮影距離が通常撮影モード時の最短撮影距離に設定されたときの、鏡筒の断面図（光軸ＡＸ方向に沿った断面図）である。
【図５】図５（ａ）は、通常撮影モード時における、鏡筒が有する回転筒のカム溝とモータ用枠のフォロアとの関係を示す断面図（光軸ＡＸ方向に沿った断面図）であり、図５（ｂ）は、マクロ撮影モード時における上記カム溝と上記フォロアとの関係を示す断面図（光軸ＡＸ方向に沿った断面図）である。
【図６】本発明の一実施形態に係る撮影装置において、その撮影距離がマクロ撮影モード時の最長撮影距離に設定されたときの、鏡筒の断面図（光軸ＡＸ方向に沿った断面図）である。
【図７】本発明の一実施形態に係る撮影装置において、その撮影距離がマクロ撮影モード時の最短撮影距離に設定されたときの、鏡筒の断面図（光軸ＡＸ方向に沿った断面図）である。
【図８】本発明の一実施形態に係る撮影装置の動作を示すフローチャートである。
【図９】本発明の一実施形態に係る鏡筒の収容状態を示す断面図である。
【発明を実施するための形態】
【００１３】
以下、本発明の一実施形態に係る鏡筒及び鏡筒を備える撮影装置について図面を参照しながら説明する。
【００１４】
図１は、本発明の一実施形態に係る撮影装置１を模式的に示す斜視図である。図２は、撮影装置１の構成を示すブロック図である。撮影装置１は、一眼レフカメラ、コンパクトデジタルカメラ、ミラーレス一眼カメラ、ビデオカメラ、カムコーダ等の撮影機能を有する装置である。
【００１５】
図１及び図２に示されるように、撮影装置１は、カメラ本体１０及び鏡筒２０を備える。カメラ本体１０は、鏡筒２０に駆動力を供給し、鏡筒２０の駆動を制御する、駆動装置として動作する。
【００１６】
カメラ本体１０は、システムコントローラ１００、操作部１０２、駆動回路１０４、固体撮像素子１０６、信号処理回路１０８、画像処理エンジン１１０、バッファメモリ１１２、ＬＣＤ（Liquid Crystal Display）１１４、ＲＯＭ（Read Only Memory）１１６、フラッシュメモリ１１８、カード用インタフェース１２０及び鏡筒用モータ１２２を備える。
【００１７】
鏡筒２０は、撮影レンズ２００、シャッタユニット２１０及びフォーカス用モータ２２０を備える。
【００１８】
以下の説明においては、撮影レンズ２００の光軸方向をＺ軸方向（又は光軸ＡＸ方向）と記し、Ｚ軸方向と直交しかつ図１の上下に延びる上下方向をＹ軸方向と記し、Ｙ軸方向及びＺ軸方向と直交しかつ図１の左右に延びる左右方向をＸ軸方向と記す。
【００１９】
操作部１０２には、電源ボタンやレリーズボタン、撮影モードボタンなど、ユーザが撮影装置１を操作するために必要な各種ボタンやダイヤルが含まれる。ユーザにより電源ボタンが操作されると、図示省略されたバッテリから撮影装置１の各種回路に電源ラインを通じて電源供給が行われる。
【００２０】
システムコントローラ１００は、ＣＰＵ（Central Processing Unit）及びＤＳＰ（Digital Signal Processor）を含む。システムコントローラ１００は電源供給後、ＲＯＭ１１６にアクセスして制御プログラムを読み出してワークエリア（不図示）にロードし、ロードされた制御プログラムを実行することにより、撮影装置１全体の制御を行う。
【００２１】
例えば、レリーズボタンが操作されると、システムコントローラ１００は、固体撮像素子１０６により撮像された画像に基づいて計算された測光値や、撮影装置１に内蔵された露出計（不図示）で測定された測光値に基づき適正露出が得られるように、駆動回路１０４を介してシャッタユニット２１０を駆動制御する。
【００２２】
より詳細には、シャッタユニット２１０の駆動制御は、プログラムＡＥ（Automatic Exposure）、シャッタ優先ＡＥ、絞り優先ＡＥなど、撮影モードボタンにより指定されるＡＥ機能に基づいて行われる。
【００２３】
システムコントローラ１００はＡＥ制御と併せてＡＦ（Autofocus）制御を行う。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。システムコントローラ１００は、ＡＦ結果に基づいて駆動回路１０４を介してフォーカス用モータ２２０を駆動制御し、撮影レンズ２００の焦点を調整する。
【００２４】
本実施形態では、合焦位置による収差の変化が少ない全群繰り出し方式（レンズ群全体を動かして合焦を行う方式）が採用されるが、別の一実施形態では、撮影レンズ内の前方のレンズ群を移動させて合焦を行うフロントフォーカス方式や、撮影レンズ内の後方のレンズ群を移動させて合焦を行うリアフォーカス方式など、一部のレンズ群を移動させて合焦を行う方式が採用されてもよい。なお、この種のＡＥ及びＡＦの構成及び制御については周知であるため、ここでの詳細な説明は省略する。
【００２５】
被写体からの光束は、シャッタユニット２１０が有する遮光羽根部材が開き状態にあるときには、撮影レンズ２００及び遮光羽根部材が形成する開口部を通過して、固体撮像素子１０６の受光面にて受光される。遮光羽根部材が全閉状態にあるときには、被写体からの光束は遮光羽根部材によって遮蔽されて、固体撮像素子１０６の受光面で受光されない。
【００２６】
固体撮像素子１０６は、ベイヤ配列フィルタを搭載したＣＭＯＳ（Complementary Metal Oxide Semiconductor）イメージセンサであり、撮影レンズ２００を介して受光面上の各画素で結像した光学像を光量に応じた電荷として蓄積する。固体撮像素子１０６は、蓄積された電荷をフローティングディフュージョンアンプにて電圧（以下「画像信号」と記す。）に変換する。固体撮像素子１０６より出力された画像信号は、信号処理回路１０８に入力される。固体撮像素子１０６は、ＣＣＤ（Charge Coupled Device）イメージセンサであってもよく、また、補色系フィルタを搭載したイメージセンサであってもよい。
【００２７】
信号処理回路１０８は、固体撮像素子１０６より入力される画像信号に対してクランプ、デモザイク等の所定の信号処理を施して、画像処理エンジン１１０に出力する。
【００２８】
画像処理エンジン１１０は、信号処理回路１０８より入力される画像信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。撮影画像データの保存形式は、ＪＰＥＧ形式に限らず、最小限の画像処理（例えば黒レベルの補正等）しか施されないＲＡＷ形式であってもよい。バッファメモリ１１２は、画像処理エンジン１１０による処理の実行時、処理データの一時的な保存場所として用いられる。
【００２９】
画像処理エンジン１１０は、輝度信号Ｙ、色差信号Ｃｂ、Ｃｒを所定のビデオ信号に変換してＬＣＤ１１４に出力する。ＬＣＤ１１４は、画像処理エンジン１１０より入力されるビデオ信号を基に液晶を変調制御する。これにより、被写体の撮影画像がＬＣＤ１１４の表示画面に表示される。ユーザは、ＡＥ制御及びＡＦ制御に基づいて適正な露出及びピントで撮影されたリアルタイムのスルー画（ライブビュー）を、ＬＣＤ１１４の表示画面を通じて視認することができる。
【００３０】
カード用インタフェース１２０のカードスロットには、メモリカード（不図示）が着脱可能に挿し込まれる。画像処理エンジン１１０は、カード用インタフェース１２０を介してメモリカードと通信可能である。画像処理エンジン１１０は、生成された撮影画像データをメモリカード又はフラッシュメモリ１１８に保存する。
【００３１】
ユーザは、撮影モードボタンを操作することにより、撮影装置１の撮影モードを通常撮影モードとマクロ撮影モードとの間で切り替えることができる。通常撮影モードは、撮影装置１の撮影距離（言い換えると、鏡筒２０の撮影距離）を第一の範囲（１００ｍｍ〜無限遠）で変化させることが可能な撮影モードであり、マクロ撮影モードは、最短撮影距離が第一の範囲の最短撮影距離よりも短い第二の範囲（６０ｍｍ〜１２０ｍｍ）で撮影装置１の撮影距離を変化させることが可能な撮影モードである。
【００３２】
本実施形態では、通常撮影モード時の最短撮影距離（１００ｍ）がマクロ撮影モード時の最長撮影距離（１２０ｍｍ）よりも短く設定されている。このように、２つの撮影モード時の撮影距離を一部重畳させることにより、撮影装置１の製造誤差が原因で通常撮影モード時の最短撮影距離とマクロ撮影モード時の最長撮影距離に多少ばらつきがあっても、マクロ撮影モード時の最短撮影距離（６０ｍｍ）から通常撮影モード時の最長撮影距離（無限遠）までの撮影距離を全てカバーすることができる。
【００３３】
図３は、撮影装置１の撮影モードが通常撮影モードでありかつその撮影距離が無限遠に設定されたときの、鏡筒２０の断面図（光軸ＡＸ方向に沿った断面図）である。
【００３４】
図３に示されるように、撮影レンズ２００は、第１レンズ群２００Ａ及び第２レンズ群２００Ｂを有する。第１レンズ群２００Ａ、第２レンズ群２００Ｂは、それぞれ、第１レンズ枠２０２Ａ、第２レンズ枠２０２Ｂに取り付けられて固定されている。第１レンズ群２００Ａと第２レンズ群２００Ｂ間には、シャッタユニット２１０が配置されている。
【００３５】
第１レンズ枠２０２Ａ、第２レンズ枠２０２Ｂ及びシャッタユニット２１０は、フォーカス用枠２３０に取り付けられて固定されている。製造時においては、まず、第１レンズ枠２０２Ａ及びシャッタユニット２１０がフォーカス用枠２３０に取り付けられて固定され、次いで、冶具等を用いて光学性能が測定されながら第１レンズ枠２０２Ａに対する第２レンズ枠２０２Ｂの位置が微調節され、所定の光学性能が得られる位置でフォーカス用枠２３０に対して第２レンズ枠２０２Ｂが固定される。以下、説明の便宜上、一体に固定されたこれらの部材（第１レンズ群２００Ａ、第１レンズ枠２０２Ａ、第２レンズ群２００Ｂ、第２レンズ枠２０２Ｂ、シャッタユニット２１０及びフォーカス用枠２３０）を「レンズ枠ユニットＬＵ」と記す。
【００３６】
鏡筒２０は、モータ用枠２４０を備える。モータ用枠２４０には、フォーカス用モータ２２０が取り付けられて固定されている。
【００３７】
フォーカス用モータ２２０には、リードスクリュ２２０Ａが設けられている。駆動回路１０４からフォーカス用モータ２２０に所定の駆動制御信号が入力すると、入力した駆動制御信号に応じてリードスクリュ２２０Ａが正転方向又は逆転方向に回転する。
【００３８】
レンズ枠ユニットＬＵ（より正確にはフォーカス用枠２３０）は、詳細な図示は略すが、リードスクリュ２２０Ａに、ナット機構やラック機構等の周知の機構を介して支持されている。リードスクリュ２２０Ａが正転方向に回転すると、レンズ枠ユニットＬＵが鏡筒２０内を光軸ＡＸ方向に沿って前方（物体側）に進み、また、リードスクリュ２２０Ａが逆転方向に回転すると、レンズ枠ユニットＬＵが鏡筒２０内を光軸ＡＸ方向に沿って後方（像側）に進む。
【００３９】
リードスクリュ２２０Ａの回転によってレンズ枠ユニットＬＵが鏡筒２０内を光軸ＡＸ方向に沿って前方に進むほど、撮影装置１の撮影距離が短くなり、また、リードスクリュ２２０Ａの回転によってレンズ枠ユニットＬＵが鏡筒２０内を光軸ＡＸ方向に沿って後方に進むほど、撮影装置１の撮影距離が長くなる。すなわち、リードスクリュ２２０Ａを有するフォーカス用モータ２２０は、複数のレンズ群のうち少なくとも一部のレンズ群を光軸ＡＸ方向に移動させることによって合焦を行う駆動部として動作する。また、モータ用枠２４０は、フォーカス用モータ２２０及び複数のレンズ群を含むレンズ枠ユニットＬＵを保持する保持部として動作する。
【００４０】
レンズ枠ユニットＬＵが図３に示される位置から鏡筒２０内を光軸ＡＸ方向に沿って前方に最大限進むと、撮影距離が無限遠から最短撮影距離（１００ｍｍ）に変わる。図４に、撮影装置１の撮影モードが通常撮影モードでありかつその撮影距離が最短撮影距離（１００ｍｍ）に設定されたときの、鏡筒２０の断面図（光軸ＡＸ方向に沿った断面図）を示す。
【００４１】
鏡筒２０は、カメラ本体１０に取り付けられて固定されたベース２５０を備える。また、鏡筒２０は、３つの筒状部材（固定筒２６０、回転筒２７０及び直進筒２８０）を備える。
【００４２】
固定筒２６０は、ベース２５０に取り付けられて固定されている。
【００４３】
固定筒２６０の内周面には、カム溝２６２が形成されている。カム溝２６２には、回転筒（円筒カム）２７０の外周面に形成されたフォロア２７２がカム溝２６２に対して摺動可能に取り付けられている。
【００４４】
回転筒２７０の内周面には、カム溝２７４及び２７６が形成されている。カム溝２７４には、直進筒２８０の外周面に形成されたフォロア２８２がカム溝２７４に対して摺動可能に取り付けられている。カム溝２７６には、モータ用枠２４０に形成されたフォロア２４２（図５（ａ）及び図５（ｂ）参照）がカム溝２７６に対して摺動可能に取り付けられている。
【００４５】
なお、本実施形態において、対となるカム溝とフォロア（例えばカム溝２７６とフォロア２４２）は、例えば３方位に略均等に設けられている。
【００４６】
回転筒２７０には、カメラ本体１０に備えられた鏡筒用モータ１２２の駆動力が図示省略されたギア等の周知の伝達機構を介して伝達される。鏡筒用モータ１２２の駆動力が回転筒２７０に伝達されて回転筒２７０が光軸ＡＸ周りに回転すると、直進筒２８０が回転筒２７０に対して光軸ＡＸ方向に沿って移動する。また、回転筒２７０が固定筒２６０に対して光軸ＡＸ方向に沿って移動する。また、モータ用枠２４０及びこれに取り付けられたフォーカス用モータ２２０並びにレンズ枠ユニットＬＵが鏡筒２０内を光軸ＡＸ方向に沿って一体に移動する。
【００４７】
図５（ａ）に、通常撮影モード時における回転筒２７０のカム溝２７６とモータ用枠２４０のフォロア２４２との関係を断面図（光軸ＡＸ方向に沿った断面図）で示し、図５（ｂ）に、マクロ撮影モード時におけるカム溝２７６とフォロア２４２との関係を断面図（光軸ＡＸ方向に沿った断面図）で示す。また、図６に、撮影装置１の撮影モードがマクロ撮影モードでありかつその撮影距離が最長撮影距離（１２０ｍｍ）に設定されたときの、鏡筒２０の断面図（光軸ＡＸ方向に沿った断面図）を示す。図７に、撮影装置１の撮影モードがマクロ撮影モードでありかつその撮影距離が最短撮影距離（６０ｍｍ）に設定されたときの、鏡筒２０の断面図（光軸ＡＸ方向に沿った断面図）を示す。
【００４８】
図８は、撮影装置１の動作を示すフローチャートである。図８のフローチャートは、例えば撮影装置１の電源がオンされると開始され、電源がオフされると終了する。また、撮影装置１の電源がオンされた時点では、撮影モードが通常撮影モードに設定されるものとする。
【００４９】
システムコントローラ１００は、撮影装置１の撮影距離を変更させるためのフォーカス操作が行われたか否かを判定する（ステップＳ１０１）。システムコントローラ１００は、フォーカス操作が行われたと判定すると（ステップＳ１０１：ＹＥＳ）、そのフォーカス操作量に応じて、駆動回路１０４を介してフォーカス用モータ２２０を駆動制御する（ステップＳ１０２）。これにより、フォーカス用モータ２２０が有するリードスクリュ２２０Ａが回転し、レンズ枠ユニットＬＵが鏡筒２０内を光軸ＡＸ方向に沿って移動して、撮影装置１の撮影距離がフォーカス操作量に応じた分だけ変わる。
【００５０】
システムコントローラ１００は、フォーカス操作が行われたと判定しない場合には（ステップＳ１０１：ＮＯ）、通常撮影モードからマクロ撮影モードへ切り替える切替操作が行われたか否かを判定する（ステップＳ１０３）。システムコントローラ１００は、この切替操作が行われたと判定すると（ステップＳ１０３：ＹＥＳ）、鏡筒用モータ１２２に駆動制御信号を出力して鏡筒用モータ１２２を駆動制御する（ステップＳ１０４）。鏡筒用モータ１２２の駆動力が回転筒２７０に供給されて、回転筒２７０が正転方向に回転する。
【００５１】
図５（ａ）及び図５（ｂ）に示されるように、回転筒２７０のカム溝２７６は、第一の溝部分２７６Ａ及び第二の溝部分２７６Ｂを有する。
【００５２】
図５（ａ）に示されるように、通常撮影モード時、モータ用枠２４０のフォロア２４２は第一の溝部分２７６Ａに位置する。フォロア２４２は、回転筒２７０の正転方向の回転に伴ってカム溝２７６内を摺動し、第二の溝部分２７６Ｂまで移動する。これにより、鏡筒２０内において、モータ用枠２４０及びこれに取り付けられたフォーカス用モータ２２０並びにレンズ枠ユニットＬＵが回転筒２７０に対して光軸ＡＸ方向の前方に一体に移動する（言い換えると、これらの部材全体が被写体側に一体に繰り出される）。また、このとき、フォロア２８２が回転筒２７０の回転に伴ってカム溝２７４内を摺動することにより、直進筒２８０が回転筒２７０に対して被写体側に繰り出される。
【００５３】
これにより、鏡筒２０は、図３の状態（通常撮影モードでかつ撮影距離が無限遠）から図６の状態（マクロ撮影モードでかつ撮影距離が最長撮影距離（１２０ｍｍ））になる。すなわち、回転筒２７０は、所定の駆動装置より供給される駆動力によってモータ用枠２４０を光軸ＡＸ方向に移動させることにより、フォーカス用モータ２２０及び複数のレンズ群を含むレンズ枠ユニットＬＵを光軸ＡＸ方向に一体に移動させる移動部であって、少なくとも、撮影装置１の撮影距離を第一の範囲で変化させることが可能な第一の位置と、最短撮影距離が第一の範囲の最短撮影距離よりも短い第二の範囲で撮影装置１の撮影距離を変化させることが可能な第二の位置に、モータ用枠２４０を移動させることができる移動部として動作する。
【００５４】
第一の溝部分２７６Ａ及び第二の溝部分２７６Ｂは、光軸ＡＸ方向に対して垂直をなす方向に延びた形状を有する。そのため、回転筒２７０の回転角度に誤差がある場合にも、フォロア２４２は、第一の溝部分２７６Ａや第二の溝部分２７６Ｂに位置する限り、Ｚ軸方向の位置が変わらない。すなわち、フォロア２４２を有するモータ用枠２４０及びこれに取り付けられたフォーカス用モータ２２０並びにレンズ枠ユニットＬＵは、回転筒２７０の回転角度に誤差がある場合にも、各撮影モードにおける適正な位置（第一の溝部分２７６Ａ又は第二の溝部分２７６Ｂによって規定されるＺ軸方向の位置）で停止する。
【００５５】
システムコントローラ１００は、駆動回路１０４を介してフォーカス用モータ２２０を駆動制御する（ステップＳ１０５）。これにより、フォーカス用モータ２２０が有するリードスクリュ２２０Ａが正転方向に回転し、撮影距離が最短撮影距離（６０ｍｍ）となるまで、レンズ枠ユニットＬＵが鏡筒２０内を光軸ＡＸ方向に沿って前方に進む。
【００５６】
鏡筒２０は、図６の状態（マクロ撮影モードでかつ撮影距離が最長撮影距離（１２０ｍｍ））から図７の状態（マクロ撮影モードでかつ撮影距離が最短撮影距離（６０ｍｍ））になる。マクロ撮影モードへの切替時に撮影距離をマクロ撮影モード時の最短撮影距離に設定することにより、マクロ撮影モードで被写体をどの程度接写できるかをユーザに確認させることが可能となる。
【００５７】
システムコントローラ１００は、撮影装置１の撮影距離を変更させるためのフォーカス操作が行われたか否かを判定する（ステップＳ１０６）。システムコントローラ１００は、フォーカス操作が行われたと判定すると（ステップＳ１０６：ＹＥＳ）、そのフォーカス操作量に応じて、駆動回路１０４を介してフォーカス用モータ２２０を駆動制御する（ステップＳ１０７）。これにより、フォーカス用モータ２２０が有するリードスクリュ２２０Ａが回転し、レンズ枠ユニットＬＵが鏡筒２０内を光軸ＡＸ方向に沿って移動して、撮影装置１の撮影距離がフォーカス操作量に応じた分だけ変わる。
【００５８】
システムコントローラ１００は、フォーカス操作が行われたと判定しない場合には（ステップＳ１０６：ＮＯ）、マクロ撮影モードから通常撮影モードへ切り替える切替操作が行われたか否かを判定する（ステップＳ１０８）。システムコントローラ１００は、この切替操作が行われたと判定すると（ステップＳ１０８：ＹＥＳ）、鏡筒用モータ１２２に駆動制御信号を出力して鏡筒用モータ１２２を駆動制御する（ステップＳ１０９）。鏡筒用モータ１２２の駆動力が回転筒２７０に供給されて、回転筒２７０が逆転方向に回転する。フォロア２４２は、回転筒２７０の逆転方向の回転に伴ってカム溝２７６内を摺動し、第一の溝部分２７６Ａまで移動する。これにより、鏡筒２０内において、モータ用枠２４０及びこれに取り付けられたフォーカス用モータ２２０並びにレンズ枠ユニットＬＵが回転筒２７０に対して光軸ＡＸ方向の後方に一体に移動する。また、このとき、フォロア２８２が回転筒２７０の回転に伴ってカム溝２７４内を摺動することにより、直進筒２８０が回転筒２７０に近づく方向に移動する。これにより、鏡筒２０は、図７や図８の状態（マクロ撮影モード）から図３や図４の状態（通常撮影モード）になる。
【００５９】
なお、図８のフローチャートの処理を実行中に所定の操作が行われたとき又は電源がオフされると、鏡筒２０は収容動作を行う。図９に、収容動作後（言い換えると収容状態）の鏡筒２０の断面図（光軸ＡＸ方向に沿った断面図）を示す。
【００６０】
収容動作時において、システムコントローラ１００は、フォーカス用モータ２２０により、撮影距離がその時点の撮影モードでの最長撮影距離となるまで、レンズ枠ユニットＬＵを鏡筒２０内で移動させる。更に、システムコントローラ１００は、回転筒２７０を、通常撮影モード時の位置を超えて逆転方向に回転させる。これにより、フォロア２７２がカム溝２６２に対して摺動し、回転筒２７０が固定筒２６０に対して光軸ＡＸ方向に沿って移動して、像側に近づく。また、フォロア２８２がカム溝２７４に対して摺動し、直進筒２８０が回転筒２７０に対して光軸ＡＸ方向に沿って移動して、像側に近づく。
【００６１】
図９に示されるように、収容状態においては、モータ用枠２４０及びこれに取り付けられたフォーカス用モータ２２０並びにレンズ枠ユニットＬＵが、通常撮影モード時やマクロ撮影モード時と比べて像側に近づけられる。そのため、収容状態では、回転筒２７０及び直進筒２８０を大きく沈胴させることができ、鏡筒２０の全長を短く抑えることができる。
【００６２】
このように、本実施形態では、複数のレンズ群を含むレンズ枠ユニットＬＵ及び駆動部であるフォーカス用モータ２２０を、切替後の撮影モードに応じた位置に一体に移動させている。何れの撮影モード時にも、同じように各レンズ群の位置を制御すること（例えばレンズ群の間隔（相対位置）を通常撮影モード時と同じ間隔に保つこと）ができるため、通常撮影モード時における撮影レンズ２００の光学性能をマクロ撮影モード時においても保つことができる。また、ユーザは、マクロコンバージョンレンズや接写リングを装着する等の作業を行うことなく、切替操作だけを行うだけで、撮影モードを簡単に切り替えることができる。
【００６３】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【符号の説明】
【００６４】
１  撮影装置
１０  カメラ本体
２０  鏡筒
１００  システムコントローラ
１０２  操作部
１０４  駆動回路
１０６  固体撮像素子
１０８  信号処理回路
１１０  画像処理エンジン
１１２  バッファメモリ
１１４  ＬＣＤ
１１６  ＲＯＭ
１１８  フラッシュメモリ
１２０  カード用インタフェース
１２２  鏡筒用モータ
２００  撮影レンズ
２００Ａ  第１レンズ群
２００Ｂ  第２レンズ群
２０２Ａ  第１レンズ枠
２０２Ｂ  第２レンズ枠
２１０  シャッタユニット
２２０  フォーカス用モータ
２２０Ａ  リードスクリュ
２３０  フォーカス用枠
２４０  モータ用枠
２４２  フォロア
２５０  ベース
２６０  固定筒
２６２  カム溝
２７０  回転筒
２７２  フォロア
２７４、２７６  カム溝
２７６Ａ  第一の溝部分
２７６Ｂ  第二の溝部分
２８０  直進筒
２８２  フォロア
ＬＵ  レンズ枠ユニット
【図１】
2020140005.tif 000003
【図２】
2020140005.tif 000004
【図３】
2020140005.tif 000005
【図４】
2020140005.tif 000006
【図５】
2020140005.tif 000007
【図６】
2020140005.tif 000008
【図７】
2020140005.tif 000009
【図８】
2020140005.tif 000010
【図９】
2020140005.tif 000011